(57)【要約】【課題】  遊技媒体貸出装置と遊技台間の残高等の表示部を変更することなく、端数の遊技媒体貸出価値が残っていても遊技客に混乱が生じない仕組みを得る。【解決手段】  遊技台２は、遊技媒体貸出装置３から通知された残高を受信し、この残高を表示する表示部２０５を有し、遊技媒体貸出装置３は、遊技媒体の１回の貸出金額を表す遊技媒体貸出単位価値情報の記憶部３２、遊技媒体価値記録媒体を読書するリードライト処理部３５、読取った遊技媒体価値情報に基づいて遊技媒体価値記録媒体の遊技媒体貸出価値を取得し、遊技媒体貸出価値情報から貸出した遊技媒体に相当する遊技媒体貸出価値情報が記憶部３２に記憶されている遊技媒体貸出単位価値情報よりも小さい場合、異なる態様で端数の遊技媒体貸出価値情報を表示させる制御部３６を有する。【選択図】  図１
2006238968.tif 000002
【特許請求の範囲】
【請求項１】
遊技台と、この遊技台に接続可能に構成された遊技媒体貸出処理装置とからなるシステムであって、
上記遊技台は、
上記遊技媒体貸出処理装置から通知された遊技媒体貸出価値情報の大きさを受信する受信手段と、
上記受信した所定桁数の遊技媒体貸出価値情報の大きさを表示する表示手段と、を有し、
上記遊技媒体貸出処理装置は、
遊技媒体貸出１回あたりの貸出価値情報を表す遊技媒体貸出単位情報の大きさを記憶する記憶手段と、
遊技媒体貸出価値情報の大きさを特定可能な情報が記録された遊技媒体貸出用記録媒体の情報を読み書きするリーダライタと、
上記読み取った遊技媒体貸出用記録媒体の情報に基づいて遊技媒体貸出価値情報を取得し、取得した遊技媒体貸出価値情報の大きさから貸し出した遊技媒体に相当する遊技媒体貸出価値情報の大きさを差し引いて残った更新後の遊技媒体貸出価値情報の大きさを上記表示手段に表示させると共に、更新後の遊技媒体貸出価値情報の大きさが上記記憶手段に記憶されている遊技媒体貸出単位価値情報の大きさよりも小さい端数となった場合、上記更新後の遊技媒体貸出価値情報の大きさを表示する場合の表示方法とは異なる態様で上記端数の遊技媒体貸出価値情報の大きさを上記遊技台の表示手段に表示させる制御手段と、を有する
ことを特徴とする遊技システム。
【請求項２】
上記制御手段は、端数の遊技媒体貸出価値情報の大きさの表示を行う場合、上記遊技台の表示手段のうちの少なくとも１桁をブリンク表示させる、
請求項１記載の遊技システム。
【請求項３】
上記表示手段は、複数のセグメントを点灯させて数字又は文字を表示させるものであり、
上記制御手段は、上記表示手段に端数の遊技媒体貸出価値情報の大きさを表示させたうえで、当該端数の遊技媒体貸出価値情報の大きさの表示に用いられていない他のセグメントのうちの少なくとも１セグメントをブリンク表示させる、
請求項１記載の遊技システム。
【請求項４】
上記制御手段は、端数の遊技媒体貸出価値情報の大きさ表示を行う場合、上記遊技台の表示手段のうちのすべての桁をブリンク表示させる、
請求項１記載の遊技システム。
【請求項５】
上記制御手段は、端数の遊技媒体貸出価値情報の大きさ表示を行う場合、上記遊技台の表示手段に対して、数字又は文字とならない形態でブリンク表示させる、
請求項１〜４のいずれかの項に記載の遊技システム。
【請求項６】
上記遊技媒体貸出処理装置は、
遊技媒体貸出用記録媒体の遊技媒体貸出価値情報の最小桁数まで表示できる第２の表示手段を更に有し、
上記制御部は、上記第２の表示手段に対して、端数の遊技媒体貸出価値情報の大きさを表示させる、
請求項１〜５のいずれかの項に記載の遊技システム。
【請求項７】
遊技媒体貸出処理装置から通知された遊技媒体貸出価値情報の大きさを受信する受信手段及び、受信した遊技媒体貸出価値情報の大きさを所定桁数で表示する表示手段とを有する遊技台と接続可能に構成された遊技媒体貸出処理装置であって、
遊技媒体の１回の遊技媒体貸出価値情報を表す遊技媒体貸出単位情報の大きさを記憶する記憶手段と、
遊技媒体貸出用記録媒体の情報を読み書きするリーダライタと、
上記読み取った遊技媒体貸出用記録媒体の情報に基づいて遊技媒体貸出価値情報を取得し、取得した遊技媒体貸出価値情報の大きさから貸し出した遊技媒体に相当する遊技媒体貸出価値情報の大きさを差し引いて残った更新後の遊技媒体貸出価値情報の大きさを上記表示手段に表示させると共に、更新後の遊技媒体貸出価値情報の大きさが上記記憶手段に記憶されている遊技媒体貸出単位価値情報の大きさよりも小さい端数となった場合、上記更新後の遊技媒体貸出価値情報の大きさを表示する場合の表示方法とは異なる態様で上記端数の遊技媒体貸出価値情報の大きさを上記遊技台の表示手段に表示させる制御手段と、
を有するとを特徴とする遊技媒体貸出処理装置。
【請求項８】
上記制御手段は、端数の遊技媒体貸出価値情報の大きさの表示を行う場合、上記遊技台の表示手段のうちの少なくとも１桁がブリンク表示させる、
請求項７記載の遊技媒体貸出処理装置。
【請求項９】
上記表示手段は、遊技媒体貸出価値情報の大きさ又は端数の遊技媒体貸出価値情報の大きさを複数のセグメントを点灯させて数字又は文字を表示させるものであり、
上記制御手段は、上記表示手段に端数の遊技媒体貸出価値情報の大きさを表示させたうえで、当該端数の遊技媒体貸出価値情報の大きさの表示に用いられていない他のセグメントのうちの少なくとも１セグメントをブリンク表示させる、
請求項７記載の遊技媒体貸出処理装置。
【請求項１０】
上記制御手段は、端数の遊技媒体貸出価値情報の大きさ表示を行う場合、上記遊技台の表示部のうちのすべての桁をブリンク表示させる、
請求項７記載の遊技媒体貸出処理装置。
【請求項１１】
上記制御手段は、端数の遊技媒体貸出価値情報の大きさ表示を行う場合、上記遊技台の表示部に対して、数字又は文字とならない形態でブリンク表示させる、
請求項７〜１０のいずれかの項に記載の遊技媒体貸出処理装置。
【請求項１２】
遊技媒体貸出用記録媒体の遊技媒体貸出価値情報の大きさを表示する遊技媒体貸出処理装置残高表示手段を更に有し、
上記制御部は、上記遊技媒体貸出用記録媒体残高表示手段に対して、端数の遊技媒体貸出価値情報の大きさを表示させる、
請求項７〜１１のいずれかの項に記載の遊技媒体貸出処理装置。
【発明の詳細な説明】
【技術分野】
【０００１】
本発明は、遊技場で使用される遊技システム及び遊技媒体貸出処理装置の技術に関する。
【背景技術】
【０００２】
遊技店において、パチンコ玉やメダルなどの遊技媒体の貸し出しは、１００円単位で行っており、プリペイドカードを利用する場合においても、プリペイドカードに１００円未満の残高（端数残高）が残ることはなかった。このため、従来からプリペイドカードシステムに適用される遊技台においても、カード残高の表示は１００円単位で行われており、遊技台のカード残高表示部は７セグメントＬＥＤ３桁で構成されることが標準となっていた。このような３桁のカード残高表示部では１００円単位で残高表示が行われていたため、３桁あるうちの１桁目（一番右の桁）が１００円の単位を表すようになっている。
【０００３】
近年、遊技店舗では、遊技媒体の貸出時に消費税を徴収したいとの要望があり、消費税を徴収すると貸出単位は１００円ではなくなってしまうため、プリペイドカードに貸出単位未満の金額が残ってしまうことになる。例えば、遊技媒体貸出時に消費税５％で消費税を徴収した場合、貸出単位は１０５円となるため、１０００円のプリペイドカードで遊技媒体を貸出した場合、９度数払い出した段階で使用金額は９４５円となり、カードには５５円の端数残高が残ってしまうこととなる。
【０００４】
また、このような問題はプリペイドカードを使用して、自動販売機等でジュースやたばこなどの物品購入ができるようにした場合にも、同様にプリペイドカードに端数残高が残ってしまうという問題が発生する。
これら場合、従来の７セグメントＬＥＤ３桁の遊技台のカード残高表示部には、通常１００円単位でカード残高が表示されているため、１０００円のプリペイドカード残高は「△△０」（△はブランクを示す。）と表示されてしまい、遊技客はカード残高を知ることができない状態になってしまうという問題があった。
一方、前述の端数残高をそのまま表示すると「△５５」と表示してしまうことなり、残高「５５００円」の場合と同じ表示になり、遊技客が混乱してしまうという問題があった。
【０００５】
さらに、７セグメントＬＥＤの表示装置では、０〜９までの数字と特定のアルファベット（Ａ，Ｃ，Ｅ，Ｆ，Ｈ，Ｌ，Ｐ，Ｕ，ｂ．ｃ．ｄ，ｈ及びｏ）しか表現することができないため、遊技客に混乱が生じないよう遊技台に５５円の残高を表示することは困難であった。
【０００６】
このような問題を解決するため、遊技台のカード残高表示桁数を増やすことなどが考えられるが、プリペイドカードシステム用カードユニットと遊技台間のインタフェースは規定のインタフェースが定められており（特許第２９３５９９０号参照）、遊技台のカード残高表示分を７セグメントＬＥＤ３桁以上の表示能力を有する表示部に変更することは、このインタフェースを逸脱してしまうため、実施することができないという問題あった。
【０００７】
このような遊技台間のインタフェースを変更することなく、端数残高表示をする方法としてカーユニットに端数表示ボタンを設ける方法がある（例えば、特許文献１参照）。
この方法によれば、通常時は遊技台にカード残高を１００円単位で表示しておき、端数表示ボタン押下時にカード残高をスクロール表示して、カード残高を１円単位で表示させることができる。
【０００８】
【特許文献１】特開２００３−３１１００５号
【発明の開示】
【発明が解決しようとする課題】
【０００９】
しかし、従来の方法では、端数表示ボタンを押下しないとカード残高が確認できないため、遊技媒体の貸出やカードへの入金を繰り返し、端数残高が１００円以上となった時、遊技台の残高表示は「△△１」となっているため、それ以降の貸出が行えない状態であることが遊技客に分かりずらいという問題がある。
【００１０】
例えば、消費税が５％であるとき、貸出単位は１０５円となるが、カードへの入金や遊技媒体の貸出を繰り返した結果、カード残高が１００円になったとき、遊技台のカード残高表示は「△△１」となるが、この状態ではプリペイドカードに追加入金し、カード残高を増やさない限り次の貸出を行うことができない。
遊技客からすると、遊技台のカード残高表示は「△△１」と表示されているにもかかわらず、貸出ボタンを押下しても遊技媒体は払い出されず、貸出単位未満の金額になったことはカードユニットや遊技台の表示表からは知ることができないという問題があった。
このため、店舗にとっても遊技客に貸出単位が１０５円であることを意識させたうえ、カード残高が１００円であり、貸出単位未満の金額しかカードに残っていないことを説明する必要があり、遊技店店員から遊技客への説明が煩雑になるという問題があった。
【００１１】
本発明は、上述の課題を解決するためになされたものであって、遊技媒体貸出装置と遊技台間の残高等の表示部を変更することなく、端数の遊技媒体貸出価値が残っていても遊技客に混乱が生じない仕組みを提供することを目的とする。
【課題を解決するための手段】
【００１２】
上記目的を達成するため、本発明の一の観点にかかる遊技システムは、遊技台と、この遊技台に接続可能に構成された遊技媒体貸出処理装置とからなるシステムであって、上記遊技台は、上記遊技媒体貸出処理装置から通知された遊技媒体貸出価値情報の大きさを受信する受信手段と、上記受信した所定桁数の遊技媒体貸出価値情報の大きさを表示する表示手段と、を有し、上記遊技媒体貸出処理装置は、遊技媒体貸出１回あたりの貸出価値情報を表す遊技媒体貸出単位情報の大きさを記憶する記憶手段と、遊技媒体貸出価値情報の大きさを特定可能な情報が記録された遊技媒体貸出用記録媒体の情報を読み書きするリーダライタと、上記読み取った遊技媒体貸出用記録媒体の情報に基づいて遊技媒体貸出価値情報を取得し、取得した遊技媒体貸出価値情報の大きさから貸し出した遊技媒体に相当する遊技媒体貸出価値情報の大きさを差し引いて残った更新後の遊技媒体貸出価値情報の大きさを上記遊技台の表示手段に表示させると共に、更新後の遊技媒体貸出価値情報の大きさが上記記憶手段に記憶されている遊技媒体貸出単位価値情報の大きさよりも小さい端数となった場合、上記更新後の遊技媒体貸出価値情報の大きさを表示する場合の表示方法とは異なる態様で上記端数の遊技媒体貸出価値情報の大きさを上記遊技台の表示手段に表示させる制御手段とを有することを特徴とする。
【００１３】
上記制御手段は、端数の遊技媒体貸出価値情報の大きさの表示を行う場合、上記遊技台の表示手段のうちの少なくとも１桁をブリンク表示させてもよい。
また、上記表示手段は、複数のセグメントを点灯させて数字又は文字を表示させるものであり、上記制御手段は、上記表示手段に端数の遊技媒体貸出価値情報の大きさを表示させたうえで、当該端数の遊技媒体貸出価値情報の大きさの表示に用いられていない他のセグメントのうちの少なくとも１セグメントをブリンク表示させてもよい。
【００１４】
上記制御手段は、端数の遊技媒体貸出価値情報の大きさ表示を行う場合、上記遊技台の表示手段のうちのすべての桁をブリンク表示させるてもよい。
また、上記制御手段は、端数の遊技媒体貸出価値情報の大きさ表示を行う場合、上記遊技台の表示手段に対して、数字又は文字とならない形態でブリンク表示させてもよい。
また、上記遊技媒体貸出処理装置は、遊技媒体貸出用記録媒体の遊技媒体貸出価値情報の最小桁数まで表示できる第２の表示手段を更に有し、上記制御部は、上記第２の表示手段に対して、端数の遊技媒体貸出価値情報の大きさを表示させてもよい。
【００１５】
本発明の一の観点にかかる遊技媒体貸出処理装置は、遊技媒体貸出処理装置から通知された遊技媒体貸出価値情報の大きさを受信する受信手段及び、受信した遊技媒体貸出価値情報の大きさを所定桁数で表示する表示手段とを有する遊技台と接続可能に構成された遊技媒体貸出処理装置であって、遊技媒体の１回の遊技媒体貸出価値情報を表す遊技媒体貸出単位情報の大きさを記憶する記憶手段と、遊技媒体貸出用記録媒体の情報を読み書きするリーダライタと、上記読み取った遊技媒体貸出用記録媒体の情報に基づいて遊技媒体貸出価値情報を取得し、取得した遊技媒体貸出価値情報の大きさから貸し出した遊技媒体に相当する遊技媒体貸出価値情報の大きさを差し引いて残った更新後の遊技媒体貸出価値情報の大きさを上記遊技台の表示手段に表示させると共に、更新後の遊技媒体貸出価値情報の大きさが上記記憶手段に記憶されている遊技媒体貸出単位価値情報の大きさよりも小さい端数となった場合、上記更新後の遊技媒体貸出価値情報の大きさを表示する場合の表示方法とは異なる態様で上記端数の遊技媒体貸出価値情報の大きさを上記遊技台の表示手段に表示させる制御手段とを有するとを特徴とするとを特徴とする。
【００１６】
上記制御手段は、端数の遊技媒体貸出価値情報の大きさの表示を行う場合、上記遊技台の表示手段のうちの少なくとも１桁がブリンク表示させるようにしてもよい。
また、上記表示手段は、遊技媒体貸出価値情報の大きさ又は端数の遊技媒体貸出価値情報の大きさを複数のセグメントを点灯させて数字又は文字を表示させるものであり、上記制御手段は、上記表示手段に端数の遊技媒体貸出価値情報の大きさを表示させたうえで、当該端数の遊技媒体貸出価値情報の大きさの表示に用いられていない他のセグメントのうちの少なくとも１セグメントをブリンク表示させるようにしてもよい。
【００１７】
上記制御手段は、端数の遊技媒体貸出価値情報の大きさ表示を行う場合、上記遊技台の表示部のうちのすべての桁をブリンク表示させるようにしてもよい。
また、上記制御手段は、端数の遊技媒体貸出価値情報の大きさ表示を行う場合、上記遊技台の表示部に対して、数字又は文字とならない形態でブリンク表示させるようにしてもよい。
また遊技媒体貸出用記録媒体の遊技媒体貸出価値情報の大きさを表示する遊技媒体貸出処理装置残高表示手段を更に有し、上記制御部は、上記遊技媒体貸出用記録媒体残高表示手段に対して、端数の遊技媒体貸出価値情報の大きさを表示させるようにしてもよい。
【発明の効果】
【００１８】
本発明によれば、遊技媒体貸出用記録媒体に遊技媒体貸出単位情報の大きさより小さい端数の遊技媒体貸出価値が残った場合に、遊技台の残高表示手段に端数の遊技媒体貸出価値が残っていることを表示できる。これにより、遊技客は遊技媒体貸出用記録媒体に端数の遊技媒体貸出価値が残こっていることを認識することができ、誤って再度遊技媒体の貸出要求を行ったりすることを防止できる。また、遊技客は従来のように端数ボタンを押すなどの面倒なことをしなくとも端数の遊技媒体貸出価値があることを認識できる。
また、装置としても端数表示ボタンを設けるなどの余計な構成を設ける必要が無く、コストを抑えることができる。また今までの遊技媒体貸出装置と遊技台のインタフェースを変更する必要がないため、改造などの余計なコストをかける必要が無く、今までの構成を生かして端数の遊技媒体貸出価値の表示を行うことができる。
また、遊技ホール側では、遊技媒体貸出用記録媒体に端数の遊技媒体貸出価値があることを遊技客に教えることができ、例えば、遊技媒体貸出価値に消費税を含めて遊技客に請求することも可能となる。
【００１９】
また、端数の遊技媒体貸出価値を最小単位（例えば、１円単位）で表示することも可能となる。また、遊技媒体貸出装置側で最小単位まで表示することで、遊技台の表示手段に改造を加えなくとも、遊技媒体貸出装置の表示手段を見ることで端数の遊技媒体貸出価値を正確に知ることができる。
【００２０】
遊技台の表示手段の桁数を多くするなどの改造を加えたり、遊技台と遊技媒体貸出装置とのインタフェースを変更することなく端数の遊技媒体価値の大きさを表示することができる。
【発明を実施するための最良の形態】
【００２１】
以下、本発明の第１の実施形態を図面を参照して説明する。
図１に本実施形態にかかるプリペイドカードシステム、カードユニットを適用した遊技場システムの全体構成を示す。図１に示したプリペイドカードシステムは、プリペイドカード制御装置１、遊技場内に複数台配置された遊技台２、プリペイドカード制御装置１と有線又は無線の通信回線を介して接続可能に構成され、遊技台２と電気的に接続されたカードユニット３から構成されている。
【００２２】
プリペイドカード制御装置１は、遊技場内で使用されるプリペイドカードのカード情報の認証を行ったり、またカードユニットの設定を管理する装置である。このプリペイドカード制御装置１は、遊技媒体貸出単位設定部１１、遊技媒体貸出単位記憶部１２、カードユニット用通信処理部１３、これらを制御する制御部１４を有している。
【００２３】
遊技媒体貸出単位設定部１１は、遊技ホール等の管理者からパチンコ玉やメダルなどの遊技媒体貸出単位情報の設定入力を受付け、遊技媒体貸出単位記憶部１２に記憶する処理を行う。この遊技媒体貸出単位情報は、遊技客から１回の遊技媒体の貸出要求に基づいて、プリペイドカードの残高から減算する金額及び遊技媒体の貸出数を受付ける。例えば、遊技媒体貸出単位は１０５円とし、この際に貸し出す遊技媒体数が２５個となる。
遊技媒体貸出単位情報記憶部１２は、遊技媒体貸出単位設定部１１で入力された遊技媒体貸出単位情報を記憶される記憶部である。
カードユニット用通信処理部１３は、カードユニット３とのデータの通信を処理を行う。カードユニット３との通信は、光通信、電波などの無線通信でもよいし、またＬＡＮケーブルなどを用いた有線による接続でもよく任意である。
制御部１４は、遊技媒体貸単位記憶部１２に設定された遊技媒体貸出単位情報を、カードユニット用通信処理部１３を介して遊技ホール内のカードユニットに対して送信し、各カードユニット３に対して遊技媒体貸出単位を設定する処理を行う。
【００２４】
遊技台２は、パチンコやスロットなどの遊技を行う装置である。この遊技台２の外観構成は、図２に示すようにパチンコなどの遊技を行う遊技面２０１、貸出可ランプ２０２、貸出ボタン２０３、返却ボタン２０４、カード残高表示部２０５、遊技を行うための操作を行う遊技用ハンドル２０６を有している。
【００２５】
貸出可ランプ２０２は、挿入されたカードにより遊技媒体の貸出が行えることを表すランプである。この貸出可ランプ２０２は、ＬＥＤなどの発行素子により構成され、これが点灯していることで挿入されたプリペイドカードによる貸出が可能であることをあらわしている。
【００２６】
貸出ボタン２０３は、遊技媒体の貸出指示を行うためのボタンである。遊技客によりこの貸出ボタン２０３が１回押下されることにより、カードユニット３に対して遊技媒体貸出要求が通知され、これにより遊技媒体貸出単位に応じた遊技媒体の貸出が行われる。例えば、遊技媒体貸出単位が１回１０５円で２５個の遊技媒体と設定されている場合には、この貸出ボタン２０３が押下されるごとにカードユニット３から２５個の遊技媒体が排出され、また１０５円分プリペイドカードの残高から減算されることになる。
【００２７】
返却ボタン２０４は、挿入されたプリペイドカードの返却指示を行うためのボタンである。この返却ボタン２０４が押下されることにより、カード返却がカードユニット３に対して通知され、カードユニット３に挿入されているプリペイドカードが排出されて返却される。
【００２８】
カード残高表示部１０５は、カードユニット３から通知されたプリペイドカードの残高を表示する表示部である。
このカード残高表示部１０５は、図３に示すようにセグメントa〜ｇまでの７セグメントからなるＬＥＤから構成されており、各セグメントが点灯することで、数字やアルファベットなどの文字を表示できるように構成されている。そして、この例では、７セグメントの表示部が３桁分設けられている。これにより１桁目が残額の１００円単位を表し、２桁目が１０００円単位を表し、３桁面が１万円単位を表すことで、１万円までの残額が表示できるようになっている。従って、カード残高表示部１０５に１００と表示されている場合には、プリペイドカードの残額が１０，０００円であることを表している。
【００２９】
また、遊技台２のＣＰＵやＲＡＭ、ＲＯＭなどにより構成される制御機能ブロックを図１に示す。図１に示すように、遊技台２は、カードユニット用通信処理部２１、遊技媒体払出し処理部２２、カード残高表示処理部２３、貸出可ランプ処理部２４、玉貸ボタン処理部２５、返却ボタン処理部２６、制御部２７から構成される。
【００３０】
カードユニット用通信処理部２１は、カードユニット３のインタフェース部であり、カードユニット３との間で所定のデータの送受信を行えるようになっている。このカードユニット用通信処理部２１は、遊技台２からの遊技媒体貸出通知をカードユニット３に通知したり、またカードユニット３からの残高表示指示データを受信したりするように構成されている。
【００３１】
遊技媒体払い出し処理部２２は、カードユニット３からの遊技媒体払い出し指示に応じて、遊技台２に遊技媒体を払い出す処理を行う。これにより、例えば、カードユニット３から１０５円分の遊技媒体数２５個の払い出し指示がされると、図示しない遊技媒体搬送機構を通じて２５個の遊技媒体が遊技台の遊技媒体受皿に排出されるようになっている。
【００３２】
カード残高表示処理部２３は、カードユニット３から通知されたカード残高及び端数残高表示をカード残高表示処理部１０５に表示させる処理を行う。カード残高表示部処理部２３は、カードユニット３からの表示制御情報に基づいてカード残高表示処理部１０５の各ＬＥＤセグメントへ通電制御することで数字や文字を表示させたり、またＬＥＤセグメントへ所定の間隔（例えば、０．５秒など）で間欠的に通電を行うことによりセグメントがブリンク表示を行うようになっている。
【００３３】
貸出可ランプ処理部２４は、カードユニット３からの遊技媒体貸出可能通知に応じて、貸出可ランプ２０２へ通電することで貸出可ランプ２０２を点灯させる処理を行う。
玉貸しボタン処理部２５は、遊技客により玉貸ボタン２０３が押下されたことを検知し、これをカードユニット３へ通知する処理を行う。これにより、カードユニット３から押下回数に応じた遊技媒体貸し出し処理が行われる。
返却ボタン処理部２６は、返却ボタン２０４が押下されたことを検知し、カード返却指示をカードユニット３へ通知する処理を行う。これにより、カードユニット３に挿入されていたプリペイドカードが排出されて返却される。
制御部２７は、遊技台２での遊技の制御や各処理部の制御を行う。
【００３４】
カードユニット３は、プリペイドカードからの読み取った残額に応じて、遊技媒体の貸出処理を行う装置である。このカードユニット３の外観構成は、図２に示すように利用可表示ランプ３０１とプリペイドカード挿入排出口３０２が設けられている
利用可表示ランプ３０１は、カードユニット３の前面上端部に設けられており、カードユニットが利用可能か否かを表すランプである。この利用可表示ランプ３０１は、ＬＥＤなどに構成されており、カードユニットがプリペイドカードの処理をできるときに点灯するようになっている。
プリペイドカード挿入排出口３０２は、遊技客が保持するプリペイドカードを挿入する挿入口である。このプリペイドカード挿入排出口３０２からプリペイドカードが挿入されると、後述するプリペイドカードＲ／Ｗ処理部３５により、プリペイドカードがカードユニットの内部に取り込まれる。そして、返却ボタン２０４が押下されることによりこのプリペイドカード挿入排出口３０２からプリペイドカードが排出されて返却されるようになっている。
なお、本例で使用されるプリペイドカードはＩＣカードや磁気カード、又はフォトグラフを利用した光カード、或いはこれらのハイブリッドカードなどでも利用することができる。
【００３５】
また、カードユニット３のＣＰＵやＲＡＭ、ＲＯＭなどにより構成される制御機能ブロックを図１に示す。図２に示すように、カードユニット３は、プリペイドカード制御装置用通信処理部３１、遊技媒体貸出単位記憶部３２、遊技台用通信処理部３３、利用可ランプ制御部３４、プリペイドカードＲ／Ｗ処理部３５、制御部３６から構成される。
【００３６】
プリペイドカード制御装置用通信処理部３１は、プリペイドカード制御装置１との間で所定のデータを送受信する処理を行う。これによりプリペイドカード制御装置１で設定された遊技媒体貸出単位情報を受信したり、またカードの認証情報などのカード情報を送受信できるようようになっている。
【００３７】
遊技媒体貸出単位記憶部３２は、遊技媒体貸出単位情報を記憶する記憶部である。この遊技媒体貸出単位記憶部３２は、プリペイドカード制御装置１で設定されたカードユニット３に通知された遊技媒体貸出単位情報を記憶しておくことができる。この遊技媒体貸出単位情報は、遊技客から１回の遊技媒体の貸出要求に基づいて、プリペイドカードの残高から減算する金額及び遊技媒体の貸出数を表している。例えば、１回の玉貸しボタンの押下に対して、遊技媒体貸出単位は１０５円で、この際に貸し出す遊技媒体数が２５個という遊技媒体貸出単位が設定されるようになっている。
【００３８】
遊技台用通信処理部３３は、遊技台２との間で所定のデータの送受信を行う。この遊技台用通信処理部３３により遊技台２からの遊技媒体貸出指示が通知されたり、また遊技台２のカード残高表示部２０５に対する、残額表示又は端数残額表示の情報が通知されるようになっている。
【００３９】
利用可ランプ制御部３４は、利用可表示ランプ３０１の点灯、消灯を通電制御する。利用可ランプ制御部３４は、カードユニット３が遊技媒体の貸出処理をできる状態にあるか（貸し出す遊技媒体があるか、カードユニットが動作できる状態かなど）を検出し、利用可表示ランプ３０１の点灯を制御する。
【００４０】
プリペイドカードリードライト（Ｒ／Ｗ）処理部３５は、プリペイドカードに対してカード残高の読み書き処理を行う。
プリペイドカードがＩＣカードの場合には、プリペイドカードの接続端子に電気的に接続して、プリペイドカードから残高情報などの情報を読み取り、また更新された残高などの書き込み処理を行う。
また返却ボタン２０４の押下によりプリペイドカードの排出処理を行う。
【００４１】
制御部３６は、貸出ボタン２０３が押下されて遊技媒体が貸し出される毎に、カード残高から遊技媒体貸出単位金額を減算し、更新残高を算定する処理を行う。
この更新残高の算定は、遊技媒体の貸出毎に行い、次に遊技媒体の貸出を行う場合は、更新残高から遊技媒体貸出単位金額を減算し、新たな更新残高とする。
また、制御部３６は、算定した更新残高が遊技媒体貸出単位記憶部３２に記憶されている遊技媒体貸出単位の金額以下であるか否か判別し、遊技媒体貸出単位金額以下である場合には遊技台に対して、端数残高を通常の残高表示とは異なる態様で表示するよう指示する処理を行う。即ち、遊技媒体貸出単位が１０５円で利用後の更新残高が１００円の場合、制御部３６は遊技台２に対して端数残高表示に切替て表示するよう指示する。この例では、図６（エ）に示したように、遊技台２のカード残高表示部２０５に端数残高（１００円）を表示すると共に、端数残高表示には用いられていない１桁目の下のセグメント（図３におけるセグメントｄ）をブリンク表示させることで、現在表示されている表示金額が端数残高であることを表示する。
【００４２】
次に、上述のプリペイドカードシステムの処理の流れについて図４を参照して説明する
なお、図４の例では、遊技媒体貸出単位金額が１０５円で、予めプリペイドカードに３１０円の残高がある状態とする。
図４において、まず遊技客が持っているプリペイドカードをカードユニット３のプリペイドカード挿入排出口３０２に挿入すると、プリペイドカードＲ／Ｗ処理部３５がカードの挿入を受付ける（Ｓ１）。
プリペイドカードが挿入されると、プリペイドカードＲ／Ｗ処理部３５がプリペイドカードから現在記憶されている残高を読み取り（Ｓ２）、カード残高が遊技媒体貸出単位金額以上であるか否かを判別する（Ｓ３)。カード残高が遊技媒体貸出単位以上であれば、読み取った残高に基づいて制御部３６が残高表示情報指示情報を作成し、遊技台用通信処理部３３を介して遊技台２へ通知する（Ｓ４）。
この残高表示指示情報は、本実施形態では、遊技台２のカード残高表示部２０５が３桁で、１桁目が１万円位、２桁目が千円の位、３桁目が百円の位を表しているので、３１０円の場合には３桁目に数字「３」を表示するように指示する残高表示指示情報を作成する。
また、Ｓ３の判別の結果、カード残高が遊技媒体貸出単位金額未満であれば、遊技媒体の貸し出しは行わせず、後述の端数残高表示Ｓ２１を行う。
【００４３】
遊技台２は、カードユニット用通信処理部２１を介して残高表示指示情報を受信すると、カード残高表示処理部２３が、残高表示指示情報に従ってカード残高表示部２０５に現在の残高を表示する（Ｓ５）。この状態を図６の（ア）に示す。図６（ア）に示したように、１桁目（１万円単位）、２桁目（千円単位）は表示しない空欄のままにしておき、３桁目（百円単位）のセグメントａ，ｂ，ｃ，ｄ，ｇを点灯表示させて「３」を表示させる。
さらに、制御部３６は、遊技台用通信処理部３３を介して、遊技台２へ遊技媒体貸出可能通知を行い（Ｓ６）、カードユニット用通信処理部２１を介してこの指示を受け取った遊技台２の制御部２７は、貸出可ランプ処理部２４を駆動し、貸出可ランプ２０２を点灯させる（Ｓ７）。
この状態で、遊技客が遊技媒体の貸出を受けるため、遊技台２の貸出ボタン２０３を押下すると、貸出ボタン処理部２５がこれを受付け、制御部２７はカードユニット用通信処理部２１を介して遊技媒体貸出指示をカードユニット３へ通知する（Ｓ８）とともに貸出可ランプ処理部２４を駆動し、貸出可ランプ２０２を消灯させ（Ｓ９）、カードユニット３からの遊技媒体貸出指示を待ち合わせる。
【００４４】
カードユニット３の制御部３６は、遊技台用通信処理部３３を介して遊技媒体貸出指示を受付けると、カード残高から遊技媒体貸出単位金額を減算し、更新残高を計算する（Ｓ１０）。
上述の例では、プリペイドカード残高が３１０円から遊技媒体貸出単位金額１０５円を引いた金額２０５円が更新残高となる。
そして、カードユニット３の制御部３６は、遊技台用通信処理部３３を介して遊技台２に対して、遊技媒体貸出指示を行う（Ｓ１１）。
遊技媒体貸出指示を受信した遊技台２の制御部２７は、遊技媒体払い出し処理部２２を駆動し、遊技媒体を貸し出す（Ｓ１２）。
遊技媒体の払い出しが完了すると遊技台２は、カードユニット用通信処理部２１を介して、カードユニット３に遊技媒体貸出完了をカードユニット３に通知する（Ｓ１３）。
【００４５】
遊技媒体貸出完了を受信したカードユニット３の制御部３６は、遊技台用通信処理部３３を介して、遊技台２に更新残高に対応する残高表示指示情報を生成してを通知する（Ｓ１４）。この例では、更新残高が「２０５円」であるため３桁目に「２」を表示させ、その他の桁には空欄とする残高表示指示情報を作成する。
【００４６】
遊技台２は、カードユニット用通信処理部２１を介して通知された残高表示指示情報を受付け、カード残高表示処理部２３が通知された残高表示指示情報に基づいてカード残高表示部２０５に更新残高を表示する（Ｓ１５）。この状態では、図６（イ）の表示状態となる。
【００４７】
そして、カードユニット３の制御部３６は、Ｓ７で算定した更新残高が遊技媒体貸出単位記憶部３２に記憶されている遊技媒体貸出単位金額以上であるか否か判別する（Ｓ１６）。
判別の結果、更新残高が遊技媒体貸出単位金額以上であると判別された場合には、さらに遊技媒体の貸出が継続して可能であるため、制御部３６は、遊技台用通信処理部３３を介して、遊技台２へ遊技媒体貸出可能通知を行う（Ｓ１７）。
カードユニット用通信処理部２１を介してこの指示を受け取った遊技台２の制御部２７は、貸出可ランプ２０２を点灯させ（Ｓ１８）、貸出ボタン２０３の押下を待ち合わせる。
なお、判別の結果、更新残高が貸出単位金額以上でないと判別された場合には、後述するＳ２１以下の端数残高表示処理に移る。
【００４８】
この状態で再度遊技客が貸出ボタン２０３を１回押下して、遊技媒体の貸出要求を行うと、貸出ボタン処理部２５がこれを受付け、遊技台２の制御部２７は、カードユニット用通信処理部２１を介して遊技媒体貸出指示をカードユニット３へ通知する（Ｓ１９）と、上述のＳ９の処理へ戻り、貸出可ランプ処理部２４を駆動し、貸出可ランプ２０２を消灯させ、カードユニット３からの遊技媒体貸出指示を待ち合わせる。
カードユニット３の制御部３６は、遊技台用通信制御部３３を介して、遊技媒体貸出指示受付を受信すると、更新残高から遊技媒体貸出単位金額を減算し新たな更新残高を算定する（Ｓ２０）。
上述の例では、プリペイドカード残高が２０５円から遊技媒体貸出単位金額１０５円を引いた金額１００円が新たな更新残高となる。
【００４９】
そして、Ｓ１１の処理に戻って、カードユニット３の制御部３６は、遊技台用通信処理部３３を介して遊技台２に対して、遊技媒体貸出指示を行う（Ｓ１１）。
遊技媒体貸出指示を受信した遊技台２の制御部２７は、カードユニット用通信処理部２１を介して、カードユニット３に遊技媒体貸出完了をカードユニット３に通知する（Ｓ１２、Ｓ１３）。
遊技媒体貸出完了を受信したカードユニット３の制御部３６は、遊技台用通信制御部３３を介して、遊技台用通信処理部３３を介して、遊技台２に更新残高に対応する残高表示指示情報を生成してを通知する（Ｓ１４）。この例では、更新残高が「１００円」であるため３桁目に「１」を表示させ、その他の桁には空欄とする残高表示指示情報を作成する。
また、遊技台２は、カードユニット用通信処理部２１を介して、通知された残高表示指示を受付け、カード残高表示処理部２３が通知された残高情報表示指示情報に基づいて、カード残高に新たな更新後残高を表示する（Ｓ１５）。この状態では、図６の（ウ）の表示状態となる。
【００５０】
そして、制御部３６は、算定した更新残高が遊技媒体貸出単位記憶部３２に記憶されている遊技媒体貸出単位金額以上であるか否か判別する（Ｓ１６）。
判別の結果、更新残高が遊技媒体貸出単位金額以上ではないと判別されると、図５に移って、制御部３６は更新残高の端数残高表示を行わせるよう表示制御情報を作成して遊技台２に通知する（Ｓ２１）。
この例では、更新残高が１００円であるため、カードユニット３の制御部３６は、１００円の端数残高を表示させる表示制御情報を生成する。
このとき、カードユニット３の制御部３６は、遊技台２のカード残高表示部２０５が、図６（エ）に示すように１桁目に「１」、２桁目及び３桁目を「０」と表示するとともに、１桁目の数字を構成しないセグメント（図３におけるセグメントｄ）を点滅させて表示する表示制御情報を作成し、遊技台用通信処理部３３を介して遊技台２に蓮残高表示を指示する（Ｓ２２）。
これにより、残高１万円の場合とは異なる態様で、かつ、端数残高を表示できる。
この状態では、既に遊技媒体貸出単位金額未満であるため、例え貸出ボタン２０３が押下されても遊技媒体の貸出は行われないことになる。
なお、判別の結果、更新残高が遊技媒体貸出単位金額以上である場合には、さらに継続して遊技媒体の貸出が可能であるため、遊技台２からの遊技場体貸出指示受け付けを待ちあわせる。
【００５１】
そして、この表示を見た遊技客が返却ボタン２０４を押下すると返却ボタン処理部２６がこれを検知して、カードユニット用通信処理部２１を介してカードユニット３へプリペイドカードの返却指示が通知される（Ｓ２３）。
これにより制御部３６はプリペイドカードＲ／Ｗ処理部３５を制御して、挿入されていたプリペイドカードを排出して（Ｓ２４）処理を終了する。
【００５２】
このように、上述実施形態によれば、プリペイドカードに遊技媒体貸出単位以上のカード残高がある場合には、現状どおり１００円単位でカード残高を表示しておき、端数残高となったときに遊技台２のカード残高表示部２０５を端数残高表示としてブリング表示させることで、遊技店員や遊技客は、プリペイドカードへの追加入金を行わなければ、遊技媒体を更に貸し出すことができないことを認識できるし、遊技店員から遊技客への説明も容易にすることができる。
【００５３】
なお、残高が２桁となる場合の例を図７に示す。
図７の例では、カード残高が３０５円である場合、カード挿入時点では遊技台２のカード残高表示部２０５の表示が図７（ア）の表示となるようにカードユニット３の制御部３６は、１桁目及び２桁目は空欄とし、３桁目は「３」を表示させる表示制御情報を生成する。
１回目の遊技媒体貸出で、カード残高は２００円となるため、遊技台２のカード残高表示部２０５の表示が図７（イ）の表示となるようカードユニット３の制御部３６は、１桁目及び２桁目は空欄とし、３桁目は「０」を表示させる表示制御情報を生成する。
この残高表示を行った後、端数残高表示として、遊技台２のカード残高表示部２０５の表示が図７（エ）の表示となるようカードユニット３の制御部３６は、１桁目のセグメントｄをブリンク表示させ、２桁目は「９」、３桁目は「５」を表示させる表示制御情報を生成する。
【００５４】
また、端数残高が１桁となる場合の例を図８に示す。
図８の例では、カード残高が２１５円である場合、カード挿入時点では遊技台２のカード残高表示部２０５の表示が図８（ア）の表示となるようカードユニット３の制御部３６は、１桁目及び２桁目は空欄とし、３桁目は「２」を表示させる表示制御情報を生成する。
１回目の遊技媒体貸出で、カード残高は１１０円となるため、遊技台２のカード残高表示部２０５の表示が図８（ウ）の表示となるようカードユニット３の制御部３６は、１桁目及び２桁目は空欄とし、３桁目は「０」を表示させる表示制御情報を生成する。
この残高表示を行った後、端数残高表示として、遊技台２のカード残高表示部２０５の表示が図８（エ）の表示となるようカードユニット３の制御部３６は、１桁目及び２桁目のセグメントをブリンク表示させ、３桁目は「５」を表示させる表示制御情報を生成する。
【００５５】
端数残高を表示する場合のブリンク表示させるセグメントは、数字や意味を持たないセグメントを用いればよく、例えばセグメントａをブリンク表示させてもよい。
【００５６】
このように、数字を表示していない桁数であって、かつ、数字などの意味をなさないセグメントをブリンク表示させることで、正確な端数残高を表示しつつ、通常の（遊技媒体貸出単位金額以上ある場合）の表示とは区別して、端数残高を表示することができる。これにより、遊技客は正確な端数残高を把握することができるし、さらにその表示されている金額が端数残高であることを認識することができ、間違いを防止することができる。
【００５７】
第２の実施形態として、上述の例では、遊技台２にのみカード残高表示部２０５を設ける例について説明したが、図９及び図１０に示すようにカードユニット３に新たに１円単位カード残高を表示できる残高表示部３０３とこの表示を制御するプリペイドカード残高表示部処理部３７を更に設けるようにしてもよい。図１０に示した例では、カード残高表示部２０５はカード最高金額が１万円単位である場合、１円単位でカード残高、端数残高を表示できるように５桁とする。
これより、カードユニット２は、新たにカード残高を１円単位で表示表示できるようになり、遊技台２のカード残高表示部２０５には従来どおりの残高表示をするようにできる。これにより遊技台２とカードユニット３との間のインタフェースを全く変更することなく、カード残高及び端数残高を１円単位で表示することができる。従って、遊技台２のカード残高表示部２０５に１円単位で表示されなくとも、カードユニット３側のカード残高表示部３０３を見ることで、遊技客などはプリペイドカードの残高及び端数残高を１円単位で把握することができる。
【００５８】
また、第３の実施形態として、上述の第１の実施形態と第２の実施形態を組み合わせて、遊技台２のカード残高表示部２０５は前述の第１の実施形態と同様に、端数残高を報じさせる場合、セグメントｄなどの数字や意味を構成しないセグメントをブリンク表示させると共に、カードユニット２側には１円単位で残高及び端数残高を表示できるカード残高表示部３０３を設けて表示させてもよい。
これにより、遊技台２のカード残高表示部２０５を見ても、またカードユニットのカード残高表示部３０３を見ても何れでも遊技客は端数残高を把握するができる。
【００５９】
また、第４の実施形態として、遊技台２のカード残高表示は第１の実施形態を使用し、カードユニット３への残高表示は実施形態２を組み合わせて使用するが、その際のカード残高が遊技媒体貸出単位金額未満となった場合に、これを遊技客に知らせるため、遊技台２のカード残高表示部２０５のセグメントｇを３桁ともブリンク表示させてもよい。
また、カード残高表示部２０５に表示された端数カード残高それ自体をブリンク表示させてもよい。
また、全セグメントを３桁ともブリンク表示、つまり「８８８」のブリンク表示とし、プリペイドカードの残高が既に遊技媒体貸出単位金額以下であることを表示するようにしてもよい。
【００６０】
上述のプリペイドカードは、プリペイドカード自体には、ＩＤなどの識別情報を持っておき、プリペイドカード制御装置１側で残高を記憶しておく、いわゆるノーバリューカードであってもよい。この場合、制御部３６がプリペイドカードＲ／Ｗ処理部３５により読み取ったカードの識別情報をプリペイドカード制御装置１へ通知することで、プリペイドカードの残高を取得することができる。
【００６１】
上述の例は、プリペイドカードシステムについて説明したがポストペイドカードのシステムでも適用可能である。また、記録媒体はカードでなくともコイン型の媒体などでもよい。
また、上述の例は、本発明の一例を示したものであり、本発明の技術的範囲を逸脱しない範囲で適宜変更することができる。
【図面の簡単な説明】
【００６２】
【図１】本発明の第１の実施形態にかかるプリペイドカードシステムの全体構成及び、機能ブロックを示した図。
【図２】第１の実施形態にかかる遊技台及びカードユニットの外観構成図。
【図３】第１の実施形態にかかる遊技台の残高表示部を示した図。
【図４】第１の実施形態にかかるプリペイドカードシステムの処理の流れを示した図。
【図５】図４に続いて第１の実施形態にかかるプリペイドカードシステムの処理の流れを示した別の図。
【図６】第１の実施形態において端数残高が３桁となる場合の表示例を示した図。
【図７】第１の実施形態において端数残高が２桁となる場合の表示例を示した図。
【図８】第１の実施形態において端数残高が１桁となる場合の表示例を示した図。
【図９】第２の実施形態にかかるカードユニットの機能ブロック図。
【図１０】第２の実施形態にかかるカードユニットの外観構成図。
【符号の説明】
【００６３】
１      プリペイドカード制御装置
２      遊技台
３      カードユニット
２３    カード残高表示処理部
３２    遊技媒体貸出単位記憶部
３３    遊技台用通信処理部
３５    プリペイドカードリードライト（Ｒ／Ｗ）処理部
３６    制御部
３７    プリペイドカード残高表示制御部
２０３  貸出ボタン
２０５  カード残高表示部
３０３プリペイドカード残高表示部
【図１】
2006238968.tif 000003
【図２】
2006238968.tif 000004
【図３】
2006238968.tif 000005
【図４】
2006238968.tif 000006
【図５】
2006238968.tif 000007
【図６】
2006238968.tif 000008
【図７】
2006238968.tif 000009
【図８】
2006238968.tif 000010
【図９】
2006238968.tif 000011
【図１０】
2006238968.tif 000012
【手続補正書】
【提出日】平成17年3月1日(2005.3.1)
【手続補正１】
【補正対象書類名】図面
【補正対象項目名】図４
【補正方法】変更
【補正の内容】
【図４】
2006238968.tif 000013
【手続補正２】
【補正対象書類名】図面
【補正対象項目名】図５
【補正方法】変更
【補正の内容】
【図５】
2006238968.tif 000014